(57)【要約】【課題】  排水口に取り付けられるストレーナを容易に取り扱い可能とする。【解決手段】  排水口３１に取り付けるストレーナ１０には、上縁の一部に、外側に張り出したフランジ部１３を形成する。フランジ部１３は、取り付け時には、排水口３１が形成されている底面部１よりも下側に埋没する形とすることで、ストレーナ１０内に効率的にゴミを捕集することができる。フランジ部１３の下面側には、プッシュラッチ１４が取り付けられており、ユーザがフランジ部１を下側に押し下げると、プッシュラッチ１４が伸張し、フランジ部１３を底面部１よりも上側に押し上げる。従って、ユーザは、フランジ部１３を把持することによって、ストレーナ１０を排水口から容易に取り外すことができ、そのままストレーナ１０を逆さにすることで、容易にゴミを廃棄することができる。【選択図】  図３
2014211007.tif 000002
【特許請求の範囲】
【請求項１】
底面部に形成された排水口に設けられ、該排水口に流入するゴミを捕集するストレーナ装置であって、
前記排水口の上に設置されるストレーナと、
ユーザの操作に応じて、該ストレーナを前記排水口から押し上げる方向に動かす押上機構とを備え、
前記ストレーナは、上縁の少なくとも一部に、把手となるよう外側に張り出したフランジ部を有し、
前記排水口およびフランジ部は、前記ストレーナを前記排水口に設置した状態では、該フランジ部が前記底面部の表面よりも下に埋没する形状をなしており、
前記押上機構は、前記操作に応じて、前記フランジ部を前記底面部の表面よりも上に押し上げる機構である
ストレーナ装置。
【請求項２】
請求項１記載のストレーナ装置であって、さらに、
前記ストレーナを前記排水口に設置した状態で保持する保持機構を備える
ストレーナ装置。
【請求項３】
請求項２記載のストレーナ装置であって、
前記保持機構は、前記押上機構が前記ストレーナに押し上げ力を作用させる作用点に近接して設けられている
ストレーナ装置。
【請求項４】
請求項１〜３いずれか記載のストレーナ装置であって、
前記押上機構は、前記フランジ部に加えられる操作力に応じて、該フランジ部を押し上げるように作動するプッシュラッチである
ストレーナ装置。
【請求項５】
請求項１〜３いずれか記載のストレーナ装置であって、
前記押上機構は、
前記ストレーナから離れた部位に設けられた操作部と、
該操作部への操作に応じて、前記フランジ部を押し上げるように作動する作動部とを備える
ストレーナ装置。
【請求項６】
請求項５記載のストレーナ装置であって、
前記押上機構は、磁力の作用により前記作動部を動作させる
ストレーナ装置。
【請求項７】
請求項５記載のストレーナ装置であって、
前記押上機構は、前記操作部と前記作動部とを機械的に連結する連結機構を介して、前記操作部に加えられる操作力を該作動部に伝達する
ストレーナ装置。
【請求項８】
請求項１〜７いずれか記載のストレーナ装置であって、
前記ストレーナは、前記フランジ部の下面に、把手が形成されている
ストレーナ装置。
【請求項９】
請求項１〜８いずれか記載のストレーナ装置であって、
前記ストレーナにおいて、前記ゴミを捕集するための本体の形状は、下側に凸の曲面となっており、
該曲面と水平面とのなす角度は、前記フランジ部に対向する側では、該フランジ部側よりも小さくなっている
ストレーナ装置。
【発明の詳細な説明】
【技術分野】
【０００１】
本発明は、排水口においてゴミを捕集するために取り付けられるストレーナに関する。
【背景技術】
【０００２】
シンクの排水口などには、通常、ゴミを捕集するためのストレーナが取り付けられている。図１は、従来のストレーナを例示する説明図である。
図１（ａ）は、特許文献１に開示されているストレーナを示している。このストレーナは、下側に凸の曲面形状をなしたカゴからなる本体の上縁に、内側にほぼ水平に延びる把手が設けられている。
図１（ｂ）は、特許文献２に開示されているストレーナを示している。このストレーナは、中央に突状部分を設けた本体の縁に、かまぼこ形状の鉛直壁状の把手が設けられている。
ストレーナの把手は、図１（ａ）、図１（ｂ）に示す固定的なものとは限らない。図１（ｃ）、図１（ｄ）は市販のストレーナを示している。図１（ｃ）のストレーナには、つる状の把手がとりつけられており、図１（ｄ）のストレーナは、リング状の把手がとりつけられている。
ストレーナが排水口に取り付けられた状態で使用され、ゴミがたまると、ユーザは、ストレーナを排水口から取り外し、ストレーナを逆さにしてゴミを廃棄、洗浄した後、再度、ストレーナを排水口に取り付けて繰り返し使用する。図１（ａ）、図１（ｂ）のような固定式の把手が設けられたストレーナでは、ユーザは、この把手を持って、これらの動作を行う。図１（ｃ）、図１（ｄ）のような非固定式の把手が設けられたストレーナでは、ユーザは、把手を持って排水口から取り外した後、改めてストレーナの縁等を持ち直し、ゴミの廃棄、洗浄等を行う。
【先行技術文献】
【特許文献】
【０００３】
【特許文献１】特開２０１０−１２６９８６号公報
【特許文献２】特開２０１０−１５９５７２号公報
【発明の概要】
【発明が解決しようとする課題】
【０００４】
しかし、従来のストレーナは、ゴミの廃棄および洗浄などの扱いやすさ、ゴミの収集能力などの点で、改善の余地が残されていた。
例えば、図１（ａ）、図１（ｂ）に示した固定式の把手が設けられたストレーナでは、排水口に取り付けた際に、ゴミが把手にひっかかってしまうことがあり、ゴミの収集能力という点で不十分であった。また、把手の持ち方自体が不自然にならざるを得ない形状であるため、把手を持ったままストレーナを逆さにする動作を行いづらい形状となっていた。また、特に図１（ａ）のような構成では、ゴミを捨てる際に、ユーザの手がゴミに触れざるを得ず、非衛生的という問題もあった。
これに対し、図１（ｃ）、図１（ｄ）のような非固定式の把手が設けられたストレーナでは、把手を持ったまま、ストレーナを逆さにするなどの動作を行うことはできないから、ユーザは、ストレーナを取り外した後、別の箇所を持ち替えてゴミの廃棄等を行う必要があった。
本発明は、かかる課題を考慮し、ストレーナについて、ゴミ収集能力、取り扱いの両面の改善を図ることを目的とする。
【課題を解決するための手段】
【０００５】
本発明は、
底面部に形成された排水口に設けられ、該排水口に流入するゴミを捕集するストレーナ装置であって、
前記排水口の上に設置されるストレーナと、
ユーザの操作に応じて、該ストレーナを前記排水口から押し上げる方向に動かす押上機構とを備え、
前記ストレーナは、上縁の少なくとも一部に、把手となるよう外側に張り出したフランジ部を有し、
前記排水口およびフランジ部は、前記ストレーナを前記排水口に設置した状態では、該フランジ部が前記底面部の表面よりも下に埋没する形状をなしており、
前記押上機構は、前記操作に応じて、前記フランジ部を前記底面部の表面よりも上に押し上げる機構である
ストレーナ装置として構成することができる。
【０００６】
本発明のストレーナ装置に利用されるストレーナは、外側に張り出したフランジ部が設けてあるため、ここを把手として利用することができる。フランジ部は固定部材であるから、図１（ｃ）、図１（ｄ）で示したストレーナのように、ゴミの廃棄等に際して持ちかえる必要がない。また、フランジ部はゴミを捕集する本体部分よりも外側に張り出しているため、ゴミの廃棄時にユーザの手がゴミに触れる可能性を抑制できる。そして、外側に張り出したフランジ部は、自然な状態で把持しやすいため、ゴミを廃棄する際にストレーナを逆さにするなどの動作も自然に行うことができる利点がある。
さらに、本発明のストレーナ装置では、ストレーナは、そのフランジ部が底面部の表面よりも下に埋没する状態で取り付けることができるため、ゴミの捕集も効率的に行うことができる。
そして、押上機構により、フランジ部を底面部の表面よりも上に押し上げることができるようになっているため、排水口からの取り外しも容易である。
以上の通り、本発明のストレーナ装置によれば、ストレーナにおけるゴミの捕集、取り扱いやすさの両面を向上させることが可能となる。
【０００７】
ストレーナは、樹脂製、金属製など種々の材質で形成することができる。
また、フランジ部は、ストレーナのいずれか一方向にだけ設けても良いし、全周にわたって形成してもよい。フランジ部は、把手として利用できるものであるため、把持できる程度の幅を有していることが必要である。
フランジ部は、種々の形状とすることができ、水平または斜め上方に張り出す板状としてもよいし、下側に凸または上側に凸などに湾曲させたり、途中に段差を設けたりしてもよい。
フランジ部の上面側および下面側の双方または一方には、把持しやすいよう滑り止めとしても細かな凹凸を設けても良い。
押上機構は、フランジ部に押し上げ力を作用させてフランジ部を主として押し上げるものとしてもよいし、ストレーナ全体に力を作用させてストレーナ全体を押し上げることによって結果としてフランジ部を押し上げるものとしてもよい。
【０００８】
本発明のストレーナ装置においては、さらに、
前記ストレーナを前記排水口に設置した状態で保持する保持機構を備えるものとしてもよい。
こうすることにより、ストレーナが排水口からずれることを避け、またストレーナと排水口との隙間を抑えることができるため、ゴミの捕集能力を向上させることができる。
本発明では、押上機構によってストレーナを取り外しやすくすることが可能であるから、このように保持機構を設けることによって、ストレーナが取り外しにくくなるという弊害を回避することができる。
保持機構は、磁力によって保持する機構、機械的な力によって保持する機構など種々の機構を適用できる。機械的な力で保持する機構としては、ストレーナと排水口とが係合するように、凹部、凸部を設けるようにしてもよい。また、ストレーナと排水口との間に摩擦力が作用する部位を設けるようにしてもよい。
【０００９】
かかる態様においては、
前記保持機構は、前記押上機構が前記ストレーナに押し上げ力を作用させる作用点に近接して設けられているものとしてもよい。
こうすることにより、ストレーナの変形による影響を受けずに、押上機構による押し上げ力を効率的に伝達することができ、保持機構で保持されたストレーナを比較的容易に取り外すことができる。
上記態様における「近接」とは、このように、押上機構によって加えられる押し上げ力により、ストレーナ自体に有意な変形、または塑性変形を生じない程度の距離を意味する。
【００１０】
本発明のストレーナ装置において押上機構は種々の構成をとることができる。
例えば、前記押上機構は、前記フランジ部に加えられる操作力に応じて、該フランジ部を押し上げるように作動するプッシュラッチとしてもよい。
プッシュラッチは、フランジ部に取り付けても良いし、排水口側のフランジ部に対向する位置に取り付けても良い。プッシュラッチを用いた構成では、ユーザが、フランジ部を押し込むと、プッシュラッチが伸張し、フランジ部を底面部よりも上に押し上げることができる。比較的簡易な構成で実現できる利点がある。
【００１１】
また、別の態様として、前記押上機構は、
前記ストレーナから離れた部位に設けられた操作部と、
該操作部への操作に応じて、前記フランジ部を押し上げるように作動する作動部とを備えるものとしてもよい。
かかる態様では、ストレーナから離れた部位に設けられた操作部の操作によってストレーナを取り出すことができる。例えば、シンクの排水口に取り付けられるストレーナ装置の場合、操作部は、シンクの上面部分や、シンクの外側正面部分などに設けることができる。このように、操作部をストレーナ、ひいては排水口から離れた位置に設けることにより、清潔感を向上させることができる利点がある。
【００１２】
ストレーナから離れた部位に操作部を設ける構成においても、押上機構は、種々の構成を採用することができる。
例えば、前記押上機構は、磁力の作用により前記作動部を動作させるものとしてもよい。
一例として、操作部の操作に応じて移動するよう作動部を構成し、ストレーナ側に磁力作用部を設け、作動部と磁力作用部にそれぞれ引き合う力が作用するように、双方に磁石または一方に磁石、他方に磁性体の組み合わせで取り付けておくことにより、操作部の操作に応じて作動部を動作させ、ひいてはストレーナを押し上げることが可能となる。
また別の態様として、磁力作用部と作動部に反発力が作用するように磁石を取り付けてもよい。この場合は、作動部を磁力作用部の下側から接近させるようにすることによって、磁力作用部を介してストレーナに押し上げ力を作用させることが可能となる。
いずれの構造においても、磁力を用いた構造では、操作部および作動部を含む構造体を、排水口の水路から隔離された水密部分に組み込むことが可能となり、排水による汚損等から保護することができる利点がある。
【００１３】
別の態様として、
前記押上機構は、前記操作部と前記作動部とを機械的に連結する連結機構を介して、前記操作部に加えられる操作力を該作動部に伝達するものとしてもよい。
連結機構としては、リンクやワイヤを利用した機構とすることができる。かかる機構では、操作力を比較的損失少なく伝達することができる利点がある。
【００１４】
上述したいずれの態様をとる場合においても、本発明においては、さらに、
前記ストレーナは、前記フランジ部の下面に、把手が形成されているものとしてもよい。
こうすることによって、フランジ部をより安定的に把持することが可能となる。
【００１５】
また、本発明においては、
前記ストレーナにおいて、前記ゴミを捕集するための本体の形状は、下側に凸の曲面となっており、
該曲面と水平面とのなす角度は、前記フランジ部に対向する側では、該フランジ部側よりも小さくなっているようにしてもよい。
即ち、本体部を、フランジ部側で深い角度、フランジ部に対向する側で浅い角度のシャベル形状様とするのである。こうすることにより、フランジ部を把持して逆さまにして振るようにすることで、対向する側からゴミを比較的容易に廃棄することが可能となる。
【００１６】
本発明において、上述の種々の特徴は、必ずしも全てを備えている必要はない。その一部を省略等したり、適宜、組合せたりして構成することも可能である。
【図面の簡単な説明】
【００１７】
【図１】従来のストレーナを例示する説明図である。
【図２】シンクへのストレーナ装置の取付状態を示す説明図である。
【図３】ストレーナ装置の構造を示す説明図である。
【図４】第２実施例におけるストレーナ装置の構造を示す説明図である。
【図５】第３実施例におけるストレーナ装置の構造を示す説明図である。
【図６】第４実施例におけるストレーナ装置の構造を示す説明図である。
【図７】第５実施例におけるストレーナ装置の構造を示す説明図である。
【図８】第６実施例におけるストレーナ装置の構造を示す説明図である。
【図９】第７実施例におけるストレーナ装置の構造を示す説明図である。
【発明を実施するための形態】
【実施例１】
【００１８】
本発明の実施例について、シンクの排水口に取り付けられるストレーナ装置を例にとって以下に説明する。ここで例示するのは一例であり、本発明は、シンクに限らず、浴室の排水口など、種々の排水口に適用可能なものである。
【００１９】
図２は、シンクへのストレーナ装置の取付状態を示す説明図である。図２（ａ）にはシンクの排水口部分の斜視図を示した。シンクの底面部１の排水口部分には、カバー２がかぶせられている。カバー２をとりはずした状態を、図２（ａ）左下に示した。この図では、ストレーナは省略してある。底面部１には、排水口３が形成されており、その上部には、ストレーナを置くための段差４が設けられている。排水口３には、トラップが形成されており、その上に、トラップ蓋５がかぶせられている。
図２（ｂ）は、排水口部分の内部構造を示すカットアウト図である。トラップ蓋５の下側の構造は省略した。図示するように、排水口３の上部の段差４に、ストレーナ１０が置かれる。本実施例では、後述する通り、ストレーナ１０を底面部１より上に押し上げる押上機構が設けられているが、ここでは、まず図の煩雑化を回避した上で、ストレーナ１０と排水口１３との関係を説明するため、押上機構については図示を省略した。
ストレーナ１０は、金属製のカゴ状の本体１１にゴミを捕集するための器具である。本体１１の上縁は略水平に張り出しているが、その幅は全周で均等ではなく、一方向では、手でしっかりと把持できる程度に大きく張り出している。この大きな張り出し部分を、以下ではフランジ部１３と呼び、その他の張り出し部分を、へり１２と区別して呼ぶものとする。また、ストレーナ１０はフランジ部１３を把持して取り扱うことになるため、フランジ部１３側を手元側、へり１２側を先端側と呼ぶこともある。
排水口３の上の段差４は、ストレーナ１０のへり１２およびフランジ部１３の形状に合わせて形成されている。フランジ部１３が張り出していることにより、ストレーナ１０の平面形状は非円形となっているため、段差４の形状は、ストレーナ１０を置く際の位置決め効果も奏することができる。
【００２０】
上述の通り、本実施例のストレーナ１０は、フランジ部１３を把持して取り扱うことができる形状となっている。フランジ部１３は本体１１から外側に張り出しているため、ゴミを廃棄する際に、ユーザの手がゴミに触れることを回避でき、衛生的である。また、ゴミを廃棄する際には、フランジ部１３を把持した状態で、ストレーナ１０を逆さまにすればよく、フランジ部１３が外に張り出しているため、かかる動作を自然に行うことができる利点もある。
また、本実施例のストレーナ１０は、先端部分が水平に対して浅い角度の曲面となっているため、ストレーナ１０を逆さにしたときにゴミを廃棄しやすいという利点もある。
【００２１】
図３は、ストレーナ装置の構造を示す説明図である。
図３（ａ）はゴミを捕集する際の使用状態を示す断面図である。先に図２で説明した通り、ストレーナ１０は排水口の上に置かれるものである。ストレーナ１０のフランジ部１３の下側には、フランジ部１３を押し上げるための押上機構として機能するプッシュラッチ１４が取り付けられている。図３（ａ）では、プッシュラッチ１４が短縮された状態を表している。
排水口の壁３１、３２は、ストレーナ１０の本体１１の形状に合わせて形成されている。即ち、本体１１の先端側１１１は、水平に対して浅い角度の曲線となっているため、排水口の壁３１もこれに併せた円弧状となっている。手元側１１２は、水平に対して深い角度の曲線となっており、さらに手元側端１１３は、プッシュラッチ１４を取り付ける都合上、垂直の壁状となっている。排水口の壁３２も、手元側１１２および手元側端１１３に併せて垂直の壁状となっている。
【００２２】
排水口上部には、図２で説明した段差として、へり１２を受ける段差４１、フランジ部１３を受ける段差４２が形成されている。これらの段差４１、４２の平面形状は、先に図２で示したように、ストレーナ１０の形状に合わせて形成されている。このように段差４１、４２が形成されていることにより、使用時には領域Ａに示すように、ストレーナ１０が底面部１よりも下面に埋没する形で取り付けられるため、ゴミを効率的に捕集することができる。
【００２３】
フランジ部１３の下面側にはプッシュラッチ１４が取り付けられている。排水口には、プッシュラッチ１４を支えるための段差部３３が形成されている。プッシュラッチ１４が短縮している状態にあるとき、プッシュラッチ１４の先端と段差部３３とは、必ずしも接していなくてもよい。
プッシュラッチ１４を押し込むための押し込み代は、フランジ部１３の端を十分撓む材質、形状とすることで確保してもよいし、フランジ部１３と段差４２との間にすき間を設けて確保してもよい。
【００２４】
図３（ｂ）には、ストレーナ１０を取り外す時の動作を示した。ユーザがフランジ部１３を上から押し下げると、プッシュラッチ１４が伸張する。これによって、ストレーナ１０のフランジ部１３が図中の領域Ａに示すように押し上げられ、底面部１よりも上側に浮いた状態となる。
従って、ユーザは、フランジ部１３を手で把持し、ストレーナ１０に捕集されたゴミの廃棄、ストレーナ１０の洗浄などを容易に行うことができる。
【００２５】
以上で説明した実施例１のストレーナ装置によれば、排水口への取付時には、へり１２およびフランジ部１３が底面部１よりも下側に埋没するため、ゴミを効率的に捕集できる。また、押上機構として作用するプッシュラッチ１４を備えることにより、取り外し時には、フランジ部１３を底面部１よりも上側に押し上げることができるため、容易に取り外しが可能となる。
実施例では、フランジ部１３側にプッシュラッチ１４を取り付ける場合を示したが、逆に、排水口の段差部３３にプッシュラッチを取り付けるようにしてもよい。
【実施例２】
【００２６】
図４は、第２実施例におけるストレーナ装置の構造を示す説明図である。ストレーナ装置を取り付けるシンクおよび排水口の状態は、実施例１（図２参照）と同様である。第２実施例では、フランジ部１３Ａを押し上げる機構が第１実施例と異なっている。
図４（ａ）は、排水口に取り付けた状態を示した。ストレーナ１０Ａは、第１実施例と同様、先端側が浅くなった本体１１Ａ、へり１２Ａ、フランジ部１３Ａなどを備えた形状となっている。
排水口の上部には、ストレーナ１０Ａを置くための段差４１Ａ、４２Ａが形成されている。第１実施例と異なり、プッシュラッチが備えられていないため、第１実施例で示したような段差部３３（図３参照）は設けられていない。
第１実施例と同様、段差４１Ａ、４２Ａにストレーナ１０Ａを置いた状態では、へり１２Ａおよびフランジ部１３Ａは、底面部１Ａよりも下側に埋没した状態となる。
ストレーナ装置には、フランジ部１３Ａを押し上げるための押上機構が設けられている。押上機構は、段差４２Ａに取り付けられた作動部２１、押しボタン式の操作部２３、両者を連結するワイヤ２２を備えており、排水栓装置などにおいて遠隔的に排水栓を開閉するために用いられる機構と同様である。操作部２３は、シンクの上面や外側正面など、ユーザが操作しやすい部位に設置することができる。ワイヤ２２は、アウタチューブとその中を可動する伝達ワイヤから構成されており、アウタチューブは、操作部２３および作動部２１に固定されている。伝達ワイヤは、操作部２３のボタンに取り付けられている。こうすることによって、操作部２３を操作すると、アウタチューブ内で伝達ワイヤが可動することによって、操作力を作動部２１側に伝達することができる。
【００２７】
図４（ｂ）は、押上機構によってフランジ部１３Ａを押し上げた状態を示している。図示するように、操作部２３の操作に応じて、作動部２１から突出した押上棒２４がフランジ部１３Ａを押し上げることができる。
押上機構には、再度、操作部２３を操作するまで、ストレーナ１０Ａをこの状態で保持できるよう、ラッチ機構を組み込んでおくことが好ましい。
以上で説明した第２実施例においても、第１実施例と同様、ゴミを効率的に捕集し、かつ、ゴミの廃棄等を容易に行うことができるストレーナ装置を提供することができる。また、第２実施例では、ストレーナ１０Ａに押上機構が取り付けられる訳ではないため、取り外した時にフランジ部１３Ａを把持しやすく、ストレーナ１０Ａを取り扱いやすいという利点もある。  
【実施例３】
【００２８】
図５は、第３実施例におけるストレーナ装置の構造を示す説明図である。ストレーナ装置を取り付けるシンクおよび排水口の状態は、実施例１（図２参照）と同様である。第３実施例では、フランジ部１３Ｂひいてはストレーナ１０Ｂを押し上げる機構が第１実施例と異なっている。
図５（ａ）は、排水口に取り付けた状態を示した。ストレーナ１０Ｂは、第１実施例と同様、先端側が浅くなった本体１１Ｂ、へり１２Ｂ、フランジ部１３Ｂなどを備えた形状となっている。
排水口の上部には、ストレーナ１０Ｂを置くための段差４１Ｂ、４２Ｂが形成されている。段差４１Ｂ、４２Ｂにストレーナ１０Ｂを置いた状態では、へり１２Ｂおよびフランジ部１３Ｂは、底面部１Ｂよりも下側に埋没した状態となる。
ストレーナ装置には、フランジ部１３Ｂを押し上げるための押上機構が設けられている。第３実施例では、ストレーナ１０Ｂの手前側に取り付けられた磁石１４Ｂに磁力を作用させて押し上げる機構を採用した。磁石１４Ｂは、排水口の壁３２Ｂに接していてもよいが、動作時の摩擦力軽減を考慮して離れているようにしてもよい。また、排水口の壁３２Ｂには、非磁性体材料を用いることが好ましく、例えば、樹脂材や非磁性体としての性質を有するステンレス材を用いることができる。
押上機構は、排水口の壁３２Ｂの裏側に取り付けられた作動部２１Ｂ、押しボタン式の操作部２３Ｂ、両者を連結するワイヤ２２Ｂを備えた機構とすることができる。ワイヤ２２Ｂのアウタチューブは、操作部２３Ｂよび作動部２１Ｂに固定し、伝達ワイヤは、操作部２３Ｂのボタンおよび作動部２１Ｂ内を可動する磁石２４Ｂに取り付けられている。磁石２４Ｂは、磁石１４Ｂと引き合う方向の極性で取り付けられている。こうすることによって、操作部２３Ｂを操作すると、アウタチューブ内で伝達ワイヤが可動し、磁石２４Ｂを作動部２１Ｂ内で移動させることによって、磁力によってストレーナ１０Ｂを上側に移動させることができる。
【００２９】
図５（ｂ）は、押上機構によってフランジ部１３Ｂを押し上げた状態を示している。図示するように、操作部２３Ｂの操作に応じて、作動部２１Ｂに設けられた磁石２４Ｂが上側に移動することにより、ストレーナ１０Ｂに取り付けられた磁石１４Ｂも同様に上側に移動し、フランジ部１３Ｂ、ひいてはストレーナ１０Ｂが上側に押し上げられる。ストレーナ１０Ｂ内のゴミが少ない場合には、図示するようにストレーナ１０Ｂ全体が上側に移動するが、ストレーナ１０Ｂ内にゴミがある場合には、第１、２実施例で示したように（図３（ｂ）、図４（ｂ）参照）、フランジ部１３Ｂの部分が斜めに持ち上がるようになる。
以上で説明した第３実施例においても、第１実施例と同様、ゴミを効率的に捕集し、かつ、ゴミの廃棄等を容易に行うことができるストレーナ装置を提供することができる。また、第３実施例では、磁力の作用によってストレーナ１０Ｂを押し上げるため、操作部２３Ｂ、作動部２１Ｂ、ワイヤ２２Ｂなどの押上機構を、排水口を流れる排水から隔離した状態で組み込むことができ、排水による汚損を回避することができる利点がある。  
【実施例４】
【００３０】
図６は、第４実施例におけるストレーナ装置の構造を示す説明図である。ストレーナ装置を取り付けるシンクおよび排水口の状態は、実施例１（図２参照）と同様である。第４実施例では、フランジ部１３Ｃが斜め上方向に向けて取り付けられている点で第１実施例と異なっている。
図５（ａ）は、排水口に取り付けた状態を示した。ストレーナ１０Ｃは、第１実施例と同様、先端側が浅くなった本体１１Ｃ、へり１２Ｃ、フランジ部１３Ｃなどを備えた形状となっている。フランジ部１３Ｃは、水平ではなく、斜め上方向に向けて設けられている。フランジ部１３Ｃの下面には、押上機構としてのプッシュラッチ１４Ｃが取り付けられている。
排水口の上部には、ストレーナ１０Ｃを置くための段差４１Ｃ、４２Ｃが形成されている。段差４１Ｃ、４２Ｃにストレーナ１０Ｃを置いた状態では、へり１２Ｃおよびフランジ部１３Ｃは、底面部１Ｃよりも下側に埋没した状態となる。
排水口は、先端側はストレーナ１０Ｃの形状に併せた曲面形状の壁３１Ｃ、手前側端３２Ｃは鉛直状の壁となっている。また、第１実施例と同様、プッシュラッチを受けるための段差３３Ｃも設けられている。
【００３１】
図５（ｂ）は、押上機構によってフランジ部１３Ｃを押し上げた状態を示している。ユーザがフランジ部１３Ｃを押し下げると、プッシュラッチ１４Ｃが伸張し、フランジ部１３Ｃを押し上げる。
以上で説明した第３実施例においても、第１実施例と同様、ゴミを効率的に捕集し、かつ、ゴミの廃棄等を容易に行うことができるストレーナ装置を提供することができる。また、第４実施例では、段差４１Ｃ、４２Ｃを深くすることにより、より安定的にストレーナ１０Ｃをとりつけることができる利点がある。  
このように収納時のずれ防止のために、段差４１Ｃ、４２Ｃを深くした場合には、押上機構がないと、ストレーナ１０Ｃを取り出すことがますます困難となる。第４実施例では、押上機構によってフランジ部１３Ｃを把持しやすくできるとともに、フランジ部１３Ｃを斜めにすることによって、ストレーナ１０Ｃが少し持ち上げられるだけでも容易に把持できる利点もある。
【実施例５】
【００３２】
図７は、第５実施例におけるストレーナ装置の構造を示す説明図である。ストレーナ装置を取り付けるシンクおよび排水口の状態は、実施例１（図２参照）と同様である。第５実施例では、フランジ部１３Ｄを押し上げる機構が第１実施例と異なっている。
図７（ａ）は、排水口に取り付けた状態を示した。ストレーナ１０Ｄは、第１実施例と同様、先端側が浅くなった本体１１Ｄ、へり１２Ｄ、フランジ部１３Ｄなどを備えた形状となっている。フランジ部１３Ｄの下面側には、略逆Ｌ字型形状の把手１４Ｄが取り付けられている。フランジ部１３Ｄの下面と把手１４Ｄとの間の空隙は、１〜２本の指が入る程度の大きさとなっている。ユーザは、フランジ部１３Ｄおよび把手１４Ｄを利用して、ストレーナ１０Ｄを取り外した際に、より安定的に取り扱うことが可能となる。
排水口の上部には、ストレーナ１０Ｄを置くための段差４１Ｄ、４２Ｄが形成されている。把手１４Ｄが形成されているため、排水口には段差部３３Ｄが設けられている。第１実施例と同様、段差４１Ｄ、４２Ｄにストレーナ１０Ｄを置いた状態では、へり１２Ｄおよびフランジ部１３Ｄは、底面部１Ｄよりも下側に埋没した状態となる。
ストレーナ装置には、フランジ部１３Ｄを押し上げるための押上機構が設けられている。第５実施例では、把手１４Ｄに取り付けられた磁石１５Ｄに磁力を作用させて押し上げる機構を採用した。
押上機構は、作動部２１Ｄ、押しボタン式の操作部２３Ｄ、両者を連結するワイヤ２２Ｄを備えており、排水栓装置などにおいて遠隔的に排水栓を開閉するために用いられる機構と同様である。操作部２３Ｄを操作すると、アウタチューブ内で伝達ワイヤが可動することによって、操作力を作動部２１Ｄ側に伝達することができ、伝達ワイヤに取り付けられた磁石２４Ｄが作動部２１Ｄの内部で上下方向に移動する。磁石２４Ｄ、１５Ｄは、反発力が作用する極性で設けられている。
【００３３】
図７（ｂ）は、押上機構によってフランジ部１４Ｄを押し上げた状態を示している。図示するように、操作部２３Ｄ操作に応じて、作動部２１Ｄ内で磁石２４Ｄが上側に移動すると、図中に矢印で示すように、磁石２４Ｄ、１５Ｄの間に反発力が働き、把手１４Ｄ、ひいてはフランジ部１４Ｄを押し上げることができる。
以上で説明した第５実施例においても、第１実施例と同様、ゴミを効率的に捕集し、かつ、ゴミの廃棄等を容易に行うことができるストレーナ装置を提供することができる。また、第５実施例では、把手１４Ｄを設けているため、より安定してストレーナ１０Ｄを取り扱うことができるという利点もある。また、把手１４Ｄには、汚れた水やゴミがかかりにくいため、衛生的であるという利点もある。
【実施例６】
【００３４】
図８は、第６実施例におけるストレーナ装置の構造を示す説明図である。ストレーナ装置を取り付けるシンクおよび排水口の状態は、実施例４（図６参照）と同様である。第６実施例では、ストレーナを保持する機構が設けられている点で第４実施例と異なっている。
図８（ａ）は、ストレーナ１０Ｅの下側に保持機構を設けた例を示している。ストレーナ１０Ｅは、第４実施例と同様、本体１１Ｅ、へり１２Ｅ、フランジ部１３Ｅなどを備えた形状となっている。フランジ部１４Ｅの下側にはプッシュラッチ１４Ｅが取り付けられている。
排水口の上部には、ストレーナ１０Ｅを置くための段差４１Ｅ、４２Ｅが形成されており、ストレーナ１０Ｅの形状に合わせた排水口の壁３１Ｅ、３２Ｅが形成されるとともに、プッシュラッチ１４Ｅを支える段差部３３Ｅも設けられている。第１実施例と同様、段差４１Ｅ、４２Ｅにストレーナ１０Ｅを置いた状態では、へり１２Ｅおよびフランジ部１３Ｅは、底面部１Ｅよりも下側に埋没した状態となる。
さらにストレーナ１０Ｅの本体１１Ｅの下部には、支柱１５Ｅが設けられており、その先端には磁石１６Ｅが取り付けられている。一方、排水口にも、これに対応する位置に磁石３４Ｅが取り付けられている。磁石１６Ｅ、３４Ｅは、引き付け合う力を作用させる極性となっており、ストレーナ１０Ｅを保持する保持機構として作用する。
このように磁石１６Ｅ、３４Ｅを取り付けることにより、ストレーナ１０Ｅを排水口にずれずに保持することが可能となり、ゴミを漏れなく集積することが可能となる。
ストレーナ１０Ｅを取り外す際には、第４実施例と同様、プッシュラッチ１４Ｅを伸張させればよい。磁石１６Ｅ、３４Ｅの磁力の強度は、使用中にストレーナ１０Ｅの位置がずれない程度で十分であるから、プッシュラッチ１４Ｅの押し上げ力によって十分、ストレーナ１０Ｅを押し上げることが可能である。
【００３５】
図８（ｂ）は、保持機構の変形例を示している。ストレーナ１０Ｆは、第４実施例と同様、本体１１Ｆ、へり１２Ｆ、フランジ部１３Ｆなどを備えた形状となっている。フランジ部１３Ｆの下側にはプッシュラッチ１４Ｆが取り付けられている。
排水口の上部には、ストレーナ１０Ｆを置くための段差４１Ｆ、４２Ｆが形成されており、ストレーナ１０Ｆの形状に合わせた排水口の壁３１Ｆ、３２Ｆが形成されるとともに、プッシュラッチ１４Ｆを支える段差部３３Ｆも設けられている。
ストレーナ１０Ｅのフランジ部１３Ｆは、取り外しているときは、右上に示すように、その端部１５Ｆが直角または鈍角αに開いている。ストレーナ１０Ｅを排水口に取り付ける時には、段差４２Ｆの収まるように端部１５Ｆを押し曲げながら設置する。こうすることによって、端部１５Ｆの弾性力によって、ストレーナ１０Ｆのヘリ１２Ｆは段差４１Ｆに、端部１５Ｆは段差４２Ｆに押しつけられるから、摩擦力によってストレーナ１０Ｆがしっかりと保持される。この意味で、端部１５Ｆは、ストレーナ１０Ｆを保持するための保持機構として作用する。第１実施例と同様、段差４１Ｆ、４２Ｆにストレーナ１０Ｆを置いた状態では、へり１２Ｆおよびフランジ部１３Ｆは、底面部１Ｆよりも下側に埋没した状態となる。
ストレーナ１０Ｆを取り外す際には、第４実施例と同様、プッシュラッチ１４Ｆを伸張させればよい。
変形例によれば、保持機構として作用する端部１５Ｆと、押上機構として作用するプッシュラッチ１４Ｆとが比較的近接しているため、プッシュラッチ１４Ｆによる押し上げ力がストレーナ１０Ｆの変形によって損なわれず、無駄なく端部１５Ｆに伝達することができ、効率的にストレーナ１０Ｆの取り外しが可能となる。
保持機構が備えられている場合には、ストレーナ１０Ｆの取り外しが難しいため、押上機構がより有用である。
【実施例７】
【００３６】
図９は、第７実施例におけるストレーナ装置の構造を示す説明図である。ストレーナ装置を取り付けるシンクおよび排水口の状態は、実施例３（図５参照）と同様である。第９実施例では、ストレーナの押上機構が排水管内部に設けられている点で第３施例と異なっている。
【００３７】
図９（ａ）は、排水口に取り付けた状態を示した。ストレーナ１０Ｇは、第１実施例と同様、先端側が浅くなった本体１１Ｇ、へり１２Ｇ、フランジ部１３Ｇなどを備えた形状となっており、段差４１Ｇ、４２Ｇにストレーナ１０Ｇを置いた状態では、へり１２Ｇおよびフランジ部１３Ｇは、底面部１Ｇよりも下側に埋没した状態となる。
ストレーナ１０Ｇの下部には、フランジ部１３Ｂを押し上げるための押上機構が設けられている。
押上機構は、排水口の壁３５Ｇの内部に取り付けられたステイ２５Ｇに固定された作動部２１Ｇ、押しボタン式の操作部２３Ｇ、両者を連結するワイヤ２２Ｇを備えた機構とすることができる。ワイヤ２２Ｇのアウタチューブは、操作部２３Ｇよび作動部２１Ｇに固定し、伝達ワイヤは、操作部２３Ｇのボタンおよびストレーナ１０Ｇの下部に設けられた支柱１５Ｇに取り付けられている。ワイヤ２２Ｇが排水管の壁３５Ｇから外側に貫通する部分には、水漏れ防止のため、ゴム製のブッシュ３６Ｇが取り付けられている。
かかる構造を採用することによって、操作部２３Ｇを操作すると、アウタチューブ内で伝達ワイヤが可動し、操作力を作動部２１Ｇに伝達することができる。
【００３８】
図９（ｂ）は、押上機構によってストレーナ１０Ｇを押し上げた状態を示している。図示するように、操作部２３Ｇの操作に応じて、押上棒２４Ｇが作動部２１Ｇから突出し、支柱１５Ｇひいてはストレーナ１０Ｇを押し上げるため、結果としてフランジ部１３Ｇも押し上げられる。押し上げた時に、ストレーナ１０Ｇの姿勢が安定するよう、支柱１５Ｇとワイヤ２４Ｇとは、はめ込み可能な凹凸部を設けるなどして、固定できるようにしてもよい。
以上で説明した第９実施例においても、第１実施例と同様、ゴミを効率的に捕集し、かつ、ゴミの廃棄等を容易に行うことができるストレーナ装置を提供することができる。また、第９実施例では、作動部２１Ｇを排水管内部に設けることにより、ストレーナ１０Ｇの本体１１Ｇの中央付近を下から押し上げることができ、ゴミが捕集された状態でもストレーナ１０Ｇのバランスを保って安定的に動作させることができる利点がある。
【００３９】
以上で説明した本発明のストレーナ装置によれば、ゴミを効率的に捕集しつつ、取り外しおよびゴミの廃棄等を容易に行うことが可能となる。
以上の各実施例で説明した特徴は、全て備えられている必要は無く、適宜、一部を省略したり、組み合わせたりして構成することも可能である。
例えば、第６実施例（図８）で例示した保持機構は、ストレーナの位置がずれないようにするための他の機構を適用してもよい。かかる機構としては、ストレーナおよび排水口に相互にはまり合う凹凸部を設けるようにしてもよい。
また、第６実施例で例示した保持機構は、第１〜第５実施例のいずれに対して適用することも可能である。
また、第３実施例のように引き付け合う磁力を利用する例では、ストレーナおよび作動部に取り付けられている２つの磁石のうち、一方を磁性体に置換してもよい。
ストレーナは、ステンレスの薄板に小穴を多数あけた形状とすることができるが、フランジ部側など手で把持する側には小穴を設けないようにしてもよい。こうすることで、ストレーナを取り扱う際に、手が捕集されたゴミに触れることを回避でき衛生的となる利点がある。
各実施例は、シンクの排水口に取り付ける場合を例示したが、本発明は、浴室の排水口など、種々の排水口に利用可能である。
【産業上の利用可能性】
【００４０】
本発明は、排水口においてゴミを捕集するために取り付けられるストレーナの利便性を向上するために適用可能である。
【符号の説明】
【００４１】
１、１Ａ、１Ｂ、１Ｃ、１Ｄ、１Ｅ、１Ｇ…底面部
２…カバー
３…排水口
４…段差
５…トラップ蓋
１０、１０Ａ、１０Ｂ、１０Ｃ、１０Ｄ、１０Ｅ、１０Ｆ、１０Ｇ…ストレーナ
１１、１１Ａ、１１Ｂ、１１Ｃ、１１Ｄ、１１Ｅ、１１Ｆ、１１Ｇ…本体
１１１…先端側
１１２…手元側
１１３…手元側端
１２、１２Ａ、１２Ｂ、１２Ｃ、１２Ｄ、１２Ｅ、１２Ｆ、１２Ｇ…へり
１３、１３Ａ、１３Ｂ、１３Ｃ、１３Ｄ、１３Ｅ、１３Ｆ、１３Ｇ…フランジ部
１４、１４Ｃ、１４Ｅ、１４Ｆ…プッシュラッチ
１４Ｂ…磁石
１４Ｄ…把手
１５Ｄ…磁石
１５Ｅ…支柱
１６Ｅ…磁石
１５Ｆ…端部
１５Ｇ…支柱
２１、２１Ｂ、２１Ｄ、２１Ｇ…作動部
２２、２２Ｂ、２２Ｄ、２２Ｇ…ワイヤ
２３、２３Ｂ、２３Ｄ、２３Ｇ…操作部
２４、２４Ｇ…押上棒
２４Ｂ、２４Ｄ…磁石
２５Ｇ…ステイ
３１、３１Ｃ、３１Ｅ、３１Ｆ…壁
３２、３２Ｂ、３２Ｃ、３２Ｅ、３２Ｆ、３２Ｇ…壁
３３、３３Ｃ、３３Ｅ、３３Ｆ…段差部
３４Ｅ…磁石
４１、４１Ａ、４１Ｂ、４１Ｃ、４１Ｄ、４１Ｅ、４１Ｆ、４１Ｇ…段差
４２、４２Ａ、４２Ｂ、４２Ｃ、４２Ｄ、４２Ｅ、４２Ｆ、４２Ｇ…段差
３５Ｇ…壁
３６Ｇ…ブッシュ
【図２】
2014211007.tif 000003
【図３】
2014211007.tif 000004
【図４】
2014211007.tif 000005
【図５】
2014211007.tif 000006
【図６】
2014211007.tif 000007
【図７】
2014211007.tif 000008
【図８】
2014211007.tif 000009
【図９】
2014211007.tif 000010
【図１】
2014211007.tif 000011